(57)【要約】      （修正有）【課題】紙おむつなど衛生用品の包装体を持ち歩くとき内容を人に知られるのを防ぐことのできる包装体および包装袋を提供する。【解決手段】紙おむつなど衛生用品３の包装体であり、包装袋１は前記衛生用品３の集積体を外部から特定出来ない非透視の構成とし、その包装袋１の外面の一部または全部を覆うことができるように常時は包装袋１に一体的に取り付けられ、所望時に包装袋１外面から剥離可能な外装部材２を設け、当該外装部材２の表面に当該衛生用品３の商品情報を印刷表示した情報表示部を設けて成る包装体である。衛生用品購入時に消費者が前記情報表示部を有する外装部材２を包装袋１から分離すると購入内容物の秘匿性を保つことができる。【選択図】図４
2005170433.tif 000002
【特許請求の範囲】
【請求項１】
紙おむつなどの衛生用品を包装袋内に所定枚数集積収納した衛生用品の包装体において、前記包装袋は前記衛生用品の集積体を外部から特定出来ない非透視の構成とし、その包装袋の外面の一部または全部を覆うように包装袋に一体的に取り付けられて、所望時に包装袋の外面から剥離できる外装部材を設け、当該外装部材の表面に当該衛生用品の商品情報を印刷表示した情報表示部を設けて成る包装体であり、衛生用品購入時に消費者が前記情報表示部を有する外装部材を包装袋から剥がすと、購入内容物の秘匿性を保つことができるようにしたことを特徴とする内容物の秘匿性を具備した衛生用品の包装体。
【請求項２】
前記外装部材は、シート状または筒状フィルム部材であることを特徴とする請求項１に記載の内容物の秘匿性を具備した衛生用品の包装体。
【請求項３】
前記外装部材は、切断用ミシン目、カットテープ、ノッチ等の破断手段を具備していることを特徴とする請求項１または２に記載の内容物の秘匿性を具備した衛生用品の包装体。
【請求項４】
前記外装部材は、紙、不織布、樹脂フィルムのいずれか又はこれら相互の積層体を主体とする素材により形成されることを特徴とする請求項１〜３のいずれか一項に記載の内容物の秘匿性を具備した衛生用品の包装体。
【請求項５】
前記外装部材は、剥離後の再接着が不可能な接着剤又は粘着テープにより包装袋に固定されていることを特徴とする請求項１〜４のいずれか一項に記載の内容物の秘匿性を具備した衛生用品の包装体。
【請求項６】
前記外装部材は熱収縮性フィルムにより形成され、前記衛生用品を包装袋内に集積収納した後、加熱により包装袋の外面に固着されることを特徴とする請求項１〜３のいずれか一項に記載の内容物の秘匿性を具備した衛生用品の包装体。
【請求項７】
前記外装部材は、持運び時の携行用バンドとして切残すことができる破断手段を具備して前記包装袋の外面に固着されている請求項１〜５のいずれか一項に記載の内容物の秘匿性を具備した衛生用品の包装体。
【請求項８】
請求項１〜７に記載の内容物の秘匿性を具備した衛生用品の包装体に用いる包装袋であって、該包装袋は前記衛生用品の集積体を外部から特定できない非透視の構成とし、その包装袋の外面の一部または全部を覆うように包装袋に一体に取り付けられて、所望時に包装袋の外面から剥離できる外装部材を設け、当該外装部材の表面に当該衛生用品の商品情報を印刷表示した情報表示部を設けて成ることを特徴とする包装袋。
【発明の詳細な説明】
【技術分野】
【０００１】
本発明は、紙おむつ、失禁パンツ、尿採りパッド、生理用ナプキン、トイレットペーパーなどの使い捨て衛生用品の包装体に関し、特に購入内容物を秘匿できる機能を有する包装体およびこれに使用する包装袋に関する。
【背景技術】
【０００２】
一般的に紙おむつ、失禁パンツ、尿採りパッド、生理用ナプキン等の衛生用品は、出荷に際しコンパクトに折畳まれ、複数枚集積されてプラスチックフィルム等で形成した包装袋に収納して一パックの包装体として販売されている。この包装体に用いられる袋は、通常不透明なプラスチックフィルム等からなり、かつその表面全域に当該衛生用品の名称、大きさ、数量、使い方、各種の注意事項等の商品情報が、カラフルな色彩、文字、イラストレーション・写真などにより、部分印刷または全面印刷により目を引くように記載されている（特許文献1）。
一方、近年紙おむつなどの衛生用品は折畳まれ圧縮された状態でパックされ、一パックの包装個数が多くなってきたので、パッケージが大きくなり、重量も増加してきているため、包装袋の上部に取手用穴を開けたフラップを設けて、紙おむつ購入時の持運びの際に、手に持って携行できるようにするのが一般的である（特許文献２）。
さらに、その包装袋に収容した衛生用品を容易に取出すことができるように、包装袋の前面、後面あるいは天面、周面等の個所に開封用のミシン目を形成したものも開示されている（例えば、特許文献３、特許文献４、特許文献５）。
【特許文献１】特開２００３−２８５８９０号公報
【特許文献２】特開２００３−  ２６１９３号公報
【特許文献３】実用新案登録第２５６７７７０号公報
【特許文献４】特開２００３−  ９５３３７号公報
【特許文献５】特開２００３−２９２０４３号公報
【発明の開示】
【発明が解決しようとする課題】
【０００３】
しかしながら、包装袋表面に設ける情報表示部には人目を引く印刷により商品情報が記載されているため、購入者は、包装袋をむき出しのまま持ち運ぶことに心理的に強い抵抗感をもつといわれている。換言すると紙おむつ、失禁パンツ購入者の多くは他人におむつやパンツの購入を知られることを嫌がる傾向があり、特に、大人用紙おむつなどでは、他人におむつなどを購入していることを見られたり、知人に知られることに羞恥を覚えることが多いといわれている。
こうしたことから、購入時の持運びの際に生ずる羞恥心を軽減するために購入者は宅配便で配送を頼んだり、大きな袋を持参して収納したり、販売者に依頼してパッケージ全体もしくは一部を別途に包装してもらう必要を生じていた。
【０００４】
しかし宅配の場合は宅配費用が別にかかること、一方持帰りの場合は購入者は紙おむつのパッケージが入るような大きな袋はいつでも持ち歩いているわけではなく、紙おむつを購入しようとしたとき袋を用意していないということがよく起きる。さらにまた販売店に目隠しのための包装を依頼しても快く引き受けてもらえなかったり、店に遠慮して包装を依頼できなかった場合あるいは包装するための準備を販売店側がしていなかった場合には、購入者は人に見られたり知られたりすることによる羞恥、知られるかもしれないという不安などの心理的負担を強いられてしまう。
また商品購入が必要不可欠であるにもかかわらず、購入者の羞恥心のため購入を断念せざるを得ず、生活に支障をきたすこともある。
【０００５】
一方、商品情報をパッケージの表面に表示しないと内容物の秘匿性は保たれても、消費者（購入者）は購入時に商品情報を選択基準として商品を的確に選ぶことができない。またこの情報表示部の情報は衛生用品の生産者や販売者にとっては、消費者に提供する商品の生産、保管、輸送、展示など際に不可欠なものであり、これをなくしてしまうことはできない。
【０００６】
ところで紙おむつなどの衛生用品は商品アイテムごとに包装袋を変えたり、あるいは消費動向を考慮して外装パッケージのデザインに変化を加えるなど包装パッケージをリニューアルして販売することが多かった。この場合、プラスチック包装袋へのカラー印刷はその印刷版代が高価であるから、短い期間でパッケージデザインを変更することは困難となっている。
【０００７】
そこで、本発明はこのような問題点を解決し、紙おむつなど衛生用品購入時に、消費者が包装袋の外面に設けた商品名などが印刷された情報表示部を包装袋から取り外し、内容物を秘匿して持ち運ぶことができる包装体およびそれに使用する包装袋を提供するもので、外装パッケージのデザイン変更時の印刷費のコストダウン、外装パッケージのリニューアルが容易な包装体およびこれに用いる包装袋を提供することを目的とするものである。
【課題を解決するための手段】
【０００８】
上記課題を解決するための手段として、本発明の第１は、紙おむつなどの衛生用品を包装袋内に所定枚数集積収納した衛生用品の包装体において、前記包装袋は前記衛生用品の集積体を外部から特定出来ない非透視の構成とし、その包装袋の外面の一部または全部を覆うように包装袋に一体的に取り付けられて、所望時に包装袋の外面から剥離できる外装部材を設け、当該外装部材の表面に当該衛生用品の商品情報を印刷表示した情報表示部を設けて成る包装体であり、衛生用品購入時に消費者が前記情報表示部を有する外装部材を包装袋から剥がすと、購入内容物の秘匿性を保つことができるようにしたことを特徴とする内容物の秘匿性を具備した衛生用品の包装体である。
【０００９】
本発明の第２は、前記外装部材は、シート状または筒状フィルム部材であることを特徴とする第１の発明に記載の内容物の秘匿性を具備した衛生用品の包装体である。
【００１０】
本発明の第３は、前記外装部材は、切断用ミシン目、カットテープ、ノッチ等の破断手段を具備していることを特徴とする第１の発明または第２の発明に記載の内容物の秘匿性を具備した衛生用品の包装体である。
【００１１】
本発明の第４は、前記外装部材は、紙、不織布、樹脂フィルムの何れか又はこれら相互の積層体を主体とする素材により形成されることを特徴とする第１の発明から第３の発明のいずれか一つに記載の内容物の秘匿性を具備した衛生用品の包装体である。
【００１２】
本発明の第５は、前記外装部材は、剥離後の再接着が不可能な接着剤又は粘着テープにより包装袋に固定されていることを特徴とする第１の発明から第４の発明のいずれか一つに記載の内容物の秘匿性を具備した衛生用品の包装体である。
【００１３】
本発明の第６は、前記外装部材は熱収縮性フィルムにより形成され、前記衛生用品を包装袋内に集積収納した後加熱により包装袋の外面に固着されていることを特徴とする第１の発明から第３の発明のいずれか一つに記載の内容物の秘匿性を具備した衛生用品の包装体である。
【００１４】
本発明の第７は、前記外装部材は、持運び時の携行用バンドとして切残すことができる破断手段を具備して前記包装袋の外面に固着されていることを特徴とする第１の発明から第５の発明のいずれか一つに記載の内容物の秘匿性を具備した衛生用品の包装体である。
【００１５】
本発明の第８は、第１の発明から第７の発明に記載の内容物の秘匿性を具備した衛生用品の包装体に用いる包装袋であって、該包装袋は前記衛生用品の集積体を外部から特定できない印刷を施したり、不透明な素材を用いることにより非透視の構成とされ、その包装袋の外面の一部または全部を覆うように包装袋に一体に取り付けられて、所望時に包装袋の外面から剥離できる外装部材を設け、当該外装部材の表面に当該衛生用品の商品情報を印刷表示した情報表示部を設けて成ることを特徴とする包装袋である。
【発明の効果】
【００１６】
本発明の包装体は、包装袋の外面に印刷を施したり、不透明な素材を用いたりすることにより、前記衛生用品の集積体を外部から特定出来ない程度に非透視の構成とされていると共に、その包装袋の外面の一部または全部を覆うように包装袋に一体に取り付けられて、所望時に包装袋の外面から剥離できる外装部材を設け、その外装部材の表面に当該衛生用品の商品情報を印刷表示した情報表示部を設けて成るものであるから、衛生用品購入時に消費者が前記情報表示部を有する外装部材を包装袋から剥がすと購入内容物の秘匿性を保つことができるものである。
従って、購入時の持ち運びの際に、購入内容物を人に見られたり知られたりすることによる羞恥心、知られるかもしれないという不安感等を軽減することが可能となる。
また、購入者があらかじめ商品を隠すための大きな袋を用意したり、販売者に目隠し包装を依頼する必要がなくなり、購入者はいつでも簡単に商品内容を秘匿できるため、衛生用品の購入機会を増やし、買い控えをなくすことが可能となる。
【００１７】
一方販売者側も、目隠し包装のために大きな包装紙などを準備する必要がなく、目隠し包装の手間も省くことができる。
さらに衛生用品の生産者にとっては包装袋に対する高価なカラー印刷や全面印刷が省略でき、外装部材に部分印刷するだけで済むから、従来法に比べ印刷費用が安く、コストを削減できる。そればかりでなく商品アイテムごとに包装袋を変える必要もなく、外装部材の変更だけで済むので商品情報の内容の変更が容易であり、パッケージのリニューアルが簡単に行える。
【発明を実施するための最良の形態】
【００１８】
以下、本発明の実施の形態を説明する。
本発明の包装体は、一例として（図１〜図３参照）使い捨て紙おむつ、失禁パンツ、尿採りパッド、生理用ナプキンなどの衛生用品３を折畳み圧縮して所定枚数集積収納する包装袋１と、その包装袋外面の一部または全部を覆うことができるように袋の外面に一体に取付けられて、所望時にその袋外面から剥離可能な外装部材２とからなっている。
包装袋１を形成する材料には、ポリエチレン等の熱可塑性樹脂フィルムが通常使用されるが、これに限るものではない。この包装袋１に紙おむつなどの衛生用品３を縦方向に複数段に積み重ねたものを圧縮して収容し、上下の開口部をヒートシールして使用する。
なお包装袋１の上部には取手穴を開けたフラップ７を設けて、紙おむつ購入時の持運びの際に、手に持って携行できるのが好ましい。また、包装袋に収容された衛生用品３を取り出しやすいように、フィルムにはあらかじめ、開封用ミシン目（図略）などを設けておくことが好ましい。このミシン目は、前記従来例にも示されているごとく、包装袋の前面、後面あるいは天面、周面等のどのような位置に設けてもよく、またミシン目で形成する取出し口の形状も衛生用品が取出しやすい形状であれば、該形状に制限はない。
包装袋は、収納する衛生用品の集積体を外部より特定出来ない程度に非透視の構成とされ、その外面４に透視できない程度に印刷を施したり、不透明な素材を用いたりすればよい。また、包装袋の一部が部分的に透明または半透明であってもよい。さらにその透明部または半透明部は着色されたものであってもよい。
なお、包装袋を非透視の構成とするために、袋の内面側に印刷面を配置したり、不透視部材を配置することも可能である。
包装袋の外面４を印刷面とする場合、通常衛生用品の集積体を外部より透視出来ない無地或いは白色印刷面として、収容物の内容を特定できる情報は印刷しないのがよい。しかし、その外面４に衛生用品の数量、大きさ等を小さく印刷することは可能であり、また商品の内容とは無関係の図柄、例えば植物や動物などのイラストレーション、漫画、風景写真が印刷されているものであってもよい。
【００１９】
外装部材２は、包装袋１の正面部または側面部もしくは背面部の全部または一部に巻きつけて固定できる、一例として帯状のシート材からなるが、帯状シートでなくラベル状のシート材でもよい。また図３に示すようなスリーブ状（筒形）フィルム部材であってもよい。外装部材２を形成する材料は、包装袋と同一の樹脂フィルムを使用してもよく、また異なる樹脂フィルムであってもよい。さらに外装部材２を紙、不織布、樹脂フィルムのいずれか又はこれら相互の積層体を主体とする素材により形成することが可能である。後記のように、熱収縮性フィルムにより形成することも可能である。このように外装部材は、包装袋の外面の一部または全部を覆うように包装袋に一体的に取り付けられて使用中は破れない強度をもち、所望時に包装袋の外面から剥離できる外装部材であれば特に制限はない。
この外装部材２は剥離後の再接着が不可能な接着剤又は粘着テープにより包装袋１の正面部または側面部もしく背面部の全部または一部に一体に取付けられる。なお、スリーブ状外装部材を熱収縮性フィルムにより形成したときは、これを包装袋の外周面に加熱により鉢巻状に巻きつけ固着することができる。
【００２０】
一方、外装部材２は表面に情報表示部５を有し、その情報表示部には包装袋に収容する商品の品名とともに大きさ、数量、使い方、注意事項などの商品情報がカラフルな色彩、文字、イラストレーション・写真などの表現手段を用いて、印刷により目を引くように記載されている。
さらに、この外装部材２の適宜な個所に切断用ミシン目等からなる破断手段６を１本または数本設けておき、購入時の持運びの際に、消費者が前記情報表示部を有する外装部材２を該破断手段６に沿って包装袋１から剥がすと購入内容物の秘匿性を保つことができるものである。なお外装部材の切断位置に、ミシン目に代えてカットテープを設けたり、ノッチなどの破断補助手段を設けておくとより切り離しやすくなる。
【実施例１】
【００２１】
図１〜５に示すものは本発明たる衛生用品の包装体の一実施形態を示すものであり、ポリエチレン製樹脂フィルムからなる包装袋１の上部に取手穴を開けたフラップ７を設けて、紙おむつ購入時の持運びの際に、手に持って携行できるようになっている。
また包装袋１の外周面には、熱収縮性フィルムにより形成したスリーブ状外装部材２を巻きつけてこれを加熱雰囲気下で包装袋1の外面に鉢巻状に固定している。この外装部材２の表面に設けた情報表示部４には、衛生品の名称、大きさ、数量、使い方などがカラー印刷されている。
また、外装部材の側面にあらかじめ切断用ミシン目６が形成されている。このミシン目により紙おむつ購入時の持運びの際に、外装部材を包装袋から切離しやすいようにしている。
【００２２】
図４は、ミシン目６から外装部材２を切り離す状態を示している。商品情報を印刷した外装部材２を包装袋から切離すると、図５に示すように該包装袋の外面４は、内容物を外部から特定できない印刷面または非印刷面もしくは非透視面となっているので、購入内容物の秘匿性を保つことができる。
【実施例２】
【００２３】
図６と図７は、本発明の第２の実施例を示す。この実施例は、紙製のラベル状をした外装部材２ａをホットメルト系接着剤等により包装袋１の正面部に対し、スポット的に接着して剥離可能としたものである。前記実施例１と同様に、外装部材２ａの表面に設けた情報表示部５には、商品名などがカラー印刷されている。従ってこの実施例では、ラベル状をした外装部材２ａを包装袋の正面部から剥がすと購入内容物の秘匿性を保つことができる。
【実施例３】
【００２４】
図８は本発明の第３の実施例を示す。この実施例は、手提袋形の包装袋１の周側面に帯状の外装シート２ｂを巻きつけ、易剥離性の接着剤で固定したものである。帯状の外装シート２ｂに、これを切断するためのカットテープ６が設けられている。本実施例は前記実施例１と同様に、外装部材２ｂの表面に設けた情報表示部５には、商品名などがカラー印刷されている。従ってこの実施例では外装部材２ｂをカットテープ６で切断して包装袋１から剥がすと、購入内容物の秘匿性を保つことができる。
【実施例４】
【００２５】
図９は、本発明の第４の実施例を示す。この実施例は、包装袋１の外面に被着した外装シート２ｃを購入時の持運びの際に包装袋１から剥がし、上方に巻き上げ束ねるようにした例である。このようにしたとき、図９に示すように該包装袋１の外面４は、内容物を外部から特定できない印刷面または非印刷面もしくは非透視面となっているので、購入内容物の秘匿性を保つことができる。
【実施例５】
【００２６】
図１０は本発明の第５の実施例を示す。この実施例は、包装袋１の外面に巻きつけた帯状外装シート２ｄの一部を、持運びの際の携行用バンド８として切残すことができるようにミシン目６を設けて前記包装袋の外面に固着されている例である。この事例においては、購入時の持運びの際に包装袋１から剥がした外装シート２ｄの一部を、図に示すように携行用バンド８として袋本体から剥れないように切残すと、包装袋１には取手７が不要になり、同時に該包装袋１の外面４は、内容物を外部から特定できない程度に非透視の構成となっているので、購入内容物の秘匿性を保つことができる。
【図面の簡単な説明】
【００２７】
【図１】本発明包装体の一実施形態を示す斜視図である。
【図２】同上の包装体のＡ−Ａ線の縦断面図である。
【図３】本発明包装体の包装形態の一例を示す斜視図である。
【図４】本発明包装体から外装部材を切り離す状態を示を示す斜視図である。
【図５】外装部材を切り離したの後の同上包装体の斜視図である。
【図６】本発明包装体の第２の実施形態を示す斜視図である。
【図７】同上の包装体のＢ−Ｂ線の縦断面図である。
【図８】本発明包装体の第３の実施形態を示す斜視図である。
【図９】本発明包装体の第４の実施形態を示す斜視図である。
【図１０】本発明包装体の第５の実施形態を示す斜視図である。
【符号の説明】
【００２８】
１  包装袋
２  外装部材
３  衛生用品
４  包装袋の外面
５  商品情報表示部
６  ミシン目等の破断手段
７  取手
８  携行用バンド
【図１】
2005170433.tif 000003
【図２】
2005170433.tif 000004
【図３】
2005170433.tif 000005
【図４】
2005170433.tif 000006
【図５】
2005170433.tif 000007
【図６】
2005170433.tif 000008
【図７】
2005170433.tif 000009
【図８】
2005170433.tif 000010
【図９】
2005170433.tif 000011
【図１０】
2005170433.tif 000012